(57)【特許請求の範囲】
【請求項１】
風車のブレード（６）の表面には、受雷部の少なくとも一部を構成するレセプター（７）を、露出させた状態で設け、該レセプター（７）をダウンコンダクタ（１１）に接続した風車の耐雷装置において、上記レセプター（７）として金属と炭素材料とを焼結させて得られる複合材からなるプレートを用い、該プレートの裏面を上記ブレード（６）の表面に沿って固着し、受雷によって生じる発熱を上記プレートの平面的な広がり方向に沿って放熱させる風車の耐雷装置。
【請求項２】
前記複合材に含まれる炭素材料は、該複合材の総体積を基準として２０〜８０体積％含まれ、該複合材は理想密度の９５％以上まで焼結されてなる請求項１に記載の風車の耐雷装置。
【請求項３】
前記炭素材料には鱗状黒鉛粉末が含まれ、該鱗状黒鉛粉末には、炭素原子からなるグラファイト構造と平行であって且つ熱を容易に伝導するプレートの面である熱伝導容易面の法線ベクトルに対して、傾きが２０°以上となる法線ベクトルによって規定される鱗状面を有する第１鱗状黒鉛粉末と、傾きが１０°以下となる法線ベクトルによって規定される鱗状面を有する第２鱗状黒鉛粉末との少なくとも２種類が含まれ、前記第１鱗状黒鉛粉末の鱗状黒鉛粉末の全体に対しての含有率は１２％以下であり、前記第２鱗状黒鉛粉末の鱗状黒鉛粉末の全体に対しての含有率は５５％以上である請求項２に記載の風車の耐雷装置。
【請求項４】
ブレード（６）の内部に芯材（８）を収容し、該芯材（８）に対して受雷部を兼ね導電性材料よりなるボルト（９）によって、前記プレートを締着固定した請求項１乃至３の何れかに記載の何れかに記載の風車の耐雷装置。
【請求項５】
プレートの外周面とブレード（６）の表面との間に形成される段差部のコーナーにパテを充填してレセプター（７）の周縁部（１２）を形成した請求項１乃至４の何れかに記載の風車の耐雷装置。
【発明の詳細な説明】
【技術分野】
【０００１】
この発明は主として風力発電用の風車、その他動力源として用いられる風車の耐雷装置に関する。
【背景技術】
【０００２】
風力発電等に用いる風車は、風力を得るために一般に地上の高所位置に突出させて設置されるほか、そのブレードはＦＲＰ等の非導電材料で作られているが、雨水を伴う落雷時には落雷の被害を受け易い。特に、冬季の沿岸部等では、上空の寒気と海面の温度差が大きいため、強い雷が発生し、その被害が大きくなる。
【０００３】
この対策として、風車のブレード表面に導電体からなる受雷部（レセプター）を露出させて設け、この受雷部を、引き下げ導線（ダウンコンダクタ）に接続した特許文献１に示す風車の耐雷装置が公知である。
【０００４】
上記文献の図１，２に示す通り、ブレード内部に接地（ＧＮＤ接続）された金属ブロックを収容し、レセプターとなる金属ボルトを前記ブレードの表面に露出させた状態で上記金属ブロックに締着固定した場合、この露出した金属ボルトが落雷電流により溶融することがある。
【０００５】
これを防止するため、同文献では、図５に示す通り、棒状のレセプターロッドの先端をブレード表面に露出させるように、地上から操作してロッドパイプでガイドさせながら挿入・突出させてブレード面に多数箇所配置し、高所作業を伴わないで交換できるとともにブレードの多数位置で受雷できる機構としている。
【０００６】
また、ブレードの先端部に点状にレセプターを設置し、該ブレードにおけるレセプター以外の位置に落雷した場合に、これをレセプター側に導くことを目的として、該ブレードの表面に、レセプターに向かって延びる誘導テープを貼着又は誘導溝を形成した特許文献２に示す風車の耐雷装置も公知になっている。
【０００７】
しかし、特許文献１のものは受雷部を点在させて広範囲での耐雷を実現し、又はレセプターの交換作業を容易にすることは可能であるが、レセプターの溶融そのものを防止するものではなく、特許文献２のものは少ないレセプターで広範囲の耐雷はできるが、レセプター自体の溶融を防止するものではなく、そのような効果も期待できない。
【先行技術文献】
【特許文献】
【０００８】
【特許文献１】特開２００９−２５００４０号公報
【特許文献２】特開２０１２−１４９５６９号公報
【発明の概要】
【発明が解決しようとする課題】
【０００９】
本発明は上記課題に対し、落雷によるレセプター自体の溶融を防止することにより落雷被害を防止するもので、特に落雷時のレセプターの発熱に対し、この熱を効果的に分散放熱することにより、レセプター及びレセプター近傍の損傷を防止することを目的としている。
【課題を解決するための手段】
【００１０】
上記課題を解決するための本発明は、第１に、風車のブレード６の表面には、受雷部の少なくとも一部を構成するレセプター７を、露出させた状態で設け、該レセプター７をダウンコンダクタ１１に接続した風車の耐雷装置において、上記レセプター７として金属と炭素材料とを焼結させて得られる複合材からなるプレートを用い、該プレートの裏面を上記ブレード６の表面に沿って固着し、受雷によって生じる発熱を上記プレートの平面的な広がり方向に沿って放熱させることを特徴としている。
【００１１】
第２に、前記複合材に含まれる炭素材料は、該複合材の総体積を基準として２０〜８０体積％含まれ、該複合材は理想密度の９５％以上まで焼結されてなることを特徴としている。
【００１２】
第３に、前記炭素材料には鱗状黒鉛粉末が含まれ、該鱗状黒鉛粉末には、炭素原子からなるグラファイト構造と平行であって且つ熱を容易に伝導するプレートの面である熱伝導容易面の法線ベクトルに対して、傾きが２０°以上となる法線ベクトルによって規定される鱗状面を有する第１鱗状黒鉛粉末と、傾きが１０°以下となる法線ベクトルによって規定される鱗状面を有する第２鱗状黒鉛粉末との少なくとも２種類が含まれ、前記第１鱗状黒鉛粉末の鱗状黒鉛粉末の全体に対しての含有率は１２％以下であり、前記第２鱗状黒鉛粉末の鱗状黒鉛粉末の全体に対しての含有率は５５％以上であることを特徴としている。
【００１３】
第４に、ブレード６の内部に芯材８を収容し、該芯材８に対して受雷部を兼ね導電性材料よりなるボルト９によって、前記プレートを締着固定したことを特徴としている。
【００１４】
第５に、プレートの外周面とブレード６の表面との間に形成される段差部のコーナーにパテを充填してレセプター７の周縁部１２を形成してなることを特徴としている。
【発明の効果】
【００１５】
本発明は以上のように構成されるので、プレートからなるレセプターに受雷させると、該プレートで発生する熱は、プレート自体の高い熱伝導性によって、プレートの面に沿って平面的に広がり、短時間で拡散放熱するので、レセプターの溶融やスパークによる損傷を防止できるとともに、ブレードに対する発熱の影響を最大限防止でき、ブレードの損傷も防止できる。
またプレートはブレード表面に沿って固着されているので、ブレード自体の発熱もプレートによって放熱され且つ受熱面積も大きく、熱を受けてもプレートによるカバーの効果もあいまって部分的な溶解や変形焼失等が防止できる利点があるほか、ブレード自体が芯材に締着固定されることによって機械的強度が高められる効果がある。
【図面の簡単な説明】
【００１６】
【図１】風車の設置状態を示す全体正面図である。
【図２】ブレードの先端部を示す部分拡大正面図である。
【図３】図２のＡ−Ａ拡大断面図である。
【図４】実験例１で用いた塗装前の銅板及び複合材からなる試料の平面写真である。
【図５】針電極と平板（試料）電極を放電側とＧＮＤ側に使用した実験例１での実験方法を示す説明図である。
【図６】図５に示す実験におけるサーモグラフィーカメラによる測定方法を示す説明図である。
【図７】サーモグラフィーカメラによる熱画像のサンプル図である。
【図８】直径１００ｍｍの２種類の平板試料の放電直下の時間変化に対する温度（Ｔo）の変化特性を示すグラフである。
【図９】同じく直径５０ｍｍの平板試料の放電直下の時間−温度（Ｔo）の変化特性を示すグラフである。
【図１０】同じく直径１００ｍｍの２種類の平板試料の放電位置から１０ｍｍ離れた位置の温度（Ｔ１）の変化特性を示すグラフである。
【図１１】同じく直径５０ｍｍの場合の温度（Ｔo）−時間特性を示すグラフである。
【図１２】直径１００ｍｍの２種類の平板試料への放電後の冷却（放熱）状態の変化を示すサーモグラフィーの熱画像である。
【図１３】複合材平板試料の直径を変化させた場合の放電直下における温度（Ｔo）の時間−温度特性の比較を示すグラフである。
【図１４】同じく複合材平板試料の直径毎の温度（Ｔ'）の時間−温度特性の比較を示すグラフである。
【図１５】直径１０ｍｍと同１００ｍｍの複合材平板試料の放電直下位置の冷却（放熱）状態の変化を示すサーモグラフィーの熱画像である。
【図１６】直径１００ｍｍの２種類の平板試料の放電直下位置の温度（Ｔo）の累乗近似曲線図である。
【図１７】実験例２における１００ｍｍ径のレセプター（平板試料）の解析モデルの説明図である。
【図１８】同例における銅製平板試料の時間経過毎の温度分布図である。
【図１９】同例における複合材平板試料の時間経過毎の温度分布図である。
【発明を実施するための形態】
【００１７】
図１及び図２は本発明を適用した耐雷装置を設置されたプロペラ型の風力発電装置の全体正面図及び部分拡大正面であり、図３は、図２のＡ−Ａ拡大断面図である。風力発電に用いる風車は、地上の基礎１上に立設して内部に空洞を有するタワー２と、該タワー２の上端に設置されて前後方向（ここでは、便宜上、ナセル３の形成方向を前後方向と定義する）に延びるボックス状のナセル３と、該ナセル３の前面から前方に突出するハブ（回転軸）４を中心にして放射状に該ナセル３に取り付けられた複数のブレード６とを備えている。
【００１８】
複数のブレード６は、ナセル３の全長方向に形成されたハブ４の軸回りに所定間隔毎に並べられている。各ブレード６は、軽量な絶縁性の材料（例えばＦＲＰ等の合成樹脂）から構成され、このブレード６は、前後につぶれた凸レンズ状の断面形状を有し、内部に空洞が形成され、この空洞が各種部品を設置する設置スペース６ａになる。
【００１９】
また、ブレード６の基端部から中途部に至る範囲は断面積が拡大し且つ中途部から先端部に向かって断面積が縮小した形状に成形され、この先端部は断面積が最小に設定されている。
【００２０】
各ブレード６が、風力により、上記回転軸を中心として回転作動すると、その動力によって、ナセル３内の図示しない発電機が発電作動される。この発電機は、ナセル３内からワター２内に至る範囲に配線された図示しない電力ケーブルを介して、バッテリや、外部の送電線に接続される。
【００２１】
このような風車及び発電機等から構成される風力発電装置には、落雷時の破損を防止するため、耐雷装置が設けられている。
【００２２】
この風車の耐雷装置は、上記ブレード６の先端部の前後両面（外面）に、面状に接当させた状態でそれぞれ設置された平板状のプレートからなるレセプター７と、ブレード６内（具体的には、設置スペース６ａ）に収容されて導電体からなるブロック状且つ金属製の芯材８と、レセプター７を芯材８に締着固定するようにブレード６の先端部の挿入される導電性のボルト９と、前記レセプター７及びボルト９等から構成される受雷部をグランド接続（アース）する引き下げ導線（ダウンコンダクタ）１１とを備えている。
【００２３】
引き下げ導線１１は、ブレード６内からナセル３内及びタワー２内を経て地中まで配線され、受雷部６、９からの受雷電流を地中に放電させる。ちなみに、引き下げ導線は、受雷部６，９からの雷電流を安全に地方に放電できる導体で構成されている。
【００２４】
芯材８は、設置スペース６ａにおけるブレード６の先端寄り部分に嵌合状態で設置可能な直方体形状に成形され、受雷部６，９及び引き下げ導線１１と電気的に接続されている。
【００２５】
レセプター７は、円盤状に形成されている。このレセプター７の材料としては、金属と、炭素材料とを焼成させて得られる複合材を用いる。具体的には、銅、アルミ又はこれらの合金等の金属と、黒鉛（具体的には黒鉛粉末、更に具体的には鱗状黒鉛粉末）とを加圧焼結させて得られる。
【００２６】
この鱗状黒鉛粉末の平均アスペクト比は、１０〜１００（好ましくは３０〜１００）であり、平均粒子サイズは、５０〜１０００（好ましくは８０〜５００）μｍである。ここで、平均アスペクト比とは、粒子の厚さに対する鱗状面の代表長さの比の平均を意味し、平均粒子径とは、粒子の鱗状面の平均代表長さを意味している。
【００２７】
加圧方向は、レセプター７を構成するプレートの板厚方向に設定され、これよって、鱗状黒鉛粉末が上記プレートの面方向に整列され、このプレートの面が、炭素原子からなるグラファイト構造と平行であって且つ熱を容易に伝導する熱伝導容易面となる。この熱伝導容易面の法線ベクトルに対して、鱗状黒鉛粉末の鱗状面の法線ベクトルが必要以上に傾いていると、熱伝導性が悪化するが、このような鱗状黒鉛粉末の含有率を低下させることにより、熱伝導性を良好に保持できる。
【００２８】
このため、前記複合材に含まれる炭素材料（具体的には、無数の鱗状黒鉛粉末）は、上記複合材の総体積を基準として２０〜８０体積％含まれ、該複合材は理想密度の９５％以上まで焼結される。また、レセプター７（プレート）に含まれる鱗状黒鉛粉末には、上記熱伝導容易面の法線ベクトルに対して法線ベクトルが２０°以上傾いた鱗状面を有する第１鱗状黒鉛粉末と、上記熱伝導容易面の法線ベクトルに対して法線ベクトルの傾きが１０°以下になる鱗状面を有する第２鱗状黒鉛粉末とが存在し、前記第１鱗状黒鉛粉末の鱗状黒鉛粉末の全体に対しての含有率は１２％以下であり、前記第２鱗状黒鉛粉末の鱗状黒鉛粉末の全体に対しての含有率は５５％以上である。
【００２９】
この複合材から構成されたレセプター７は、本例では、５０〜１００ｍｍ径で２ｍｍ前後の板厚を有する円形のプレート状に成形されている。なお、レセプターのサイズや板厚はブレード６の寸法等により選択されるが、基本的には、直径２０〜３００ｍｍ、板厚０．５〜４０ｍｍの範囲内で設定される。
【００３０】
レセプター７はその中心位置に挿通される金属製等の導電材料からなるボルト９により、内臓された同じく導電性材料製の芯材８に対して締着固定されており、レセプター７とブレード６，芯材８とは締着によりできるだけ密着させることにより、レセプター７の落雷による発熱をより効率的に放熱できるほか、レセプター７の固定性が確保される。また放熱性を高めるためには芯材８やボルト９の材質も熱伝導性に優れたものを用いることが望ましい。
【００３１】
またレセプター７の外周面とブレード６の表面の段差部のコーナーはシール性の高いパテを充填してコーティングすることにより周縁部１２を形成し、この周縁部１２のパテを導電性を有し熱伝導性の高いものを用いること又はＦＲＰに使用するプラスチック材の使用も可能である。
【００３２】
次に本発明の複合材によるレセプター７の放熱特性を、プレート状の複合材と銅板に対する放電時における熱伝導特性評価実験（＜実験例１＞）と、熱伝導方程式を用いた数値解析によるシミュレーション（＜実験例２＞）とにより確認したので以下これらの評価結果を示す。ちなみに、この実験例１，２で用いたレセプター７の複合材は、上記黒鉛粉末（鱗状黒鉛粉末）は、複合材の総体積を基準として７０体積％含まれ、板厚が２ｍｍに設定され、板の面方向（上述した熱伝導容易面であり、以下「ＸＹ方向」と称する）への熱伝導率が６３０Ｗ／ｍ／Ｋ、厚み方向（以下「Ｚ方向」と称する）への熱伝導率が３５Ｗ／ｍ／Ｋに設定されている。
【００３３】
＜実験例１＞
１．試料
レセプター７の試料には、先に述べた複合材（図面中では「ＳＴＣ」の符号で示す）と銅の２種類を用いた。複合材は銅とグラファイトの合金である。
円板状プレートの試料を、それぞれ直径１０ｍｍ，３０ｍｍ，５０ｍｍ，１００ｍｍの４種類のサイズに同じ製法で成形した。代表的な試料を図４に示す。また、熱画像を撮る際に、熱の反射をなくしより正確な温度変化を見るため、試料表面を耐熱塗料で黒く塗装した。ここで用いる銅のＸＹ方向への熱伝導率は約４００［Ｗ／ｍ・Ｋ］である。
【００３４】
２．実験方法
実際のプレート状の風車のレセプターでは、沿面放電によって外側から電流が流れてきて、そこから熱がレセプター全体に広がっていく。しかし今回の実験では、試料の特性を調べるために図５のように試料の中心に電圧を印加して熱の広がり方を検証する。
電極系として針―平板電極系を用い、ギャップ長は１ｍｍとし、針電極を高電圧側，平板電極をＧＮＤとした。
【００３５】
本実験では室温状態（約２０℃）で交流電圧を印加させ、放電する直前から図６に示すような測定系でサーモグラフィーカメラ（ＴＶＳ−８５００）によって連続撮影した。カメラの時間分解能は１／１２０秒毎に熱画像を１枚連続撮影でき、温度分解能は−４０℃〜９００℃の範囲、０．０２５℃刻みで温度測定できる。空間分解能は１０μｍ刻みで温度計測が可能で、撮影した熱画像は熱画像解析ソフトウェア（PE Professional）で読み込み、放電した位置の温度Ｔoの平均と標準偏差を求めた。また、放電した位置から５ｍｍ離れた位置の温度Ｔ'とし、１０ｍｍずつ離れた位置の温度Ｔ１，Ｔ２，Ｔ３，Ｔ４の平均と標準偏差を求めた。
【００３６】
サーモグラフィーカメラの熱画像のサンプルを図７に示す。試料の撮影方向側には針の熱が反射して試料の温度と重なり正確な温度が測れないため、図７に示す通り各点の温度は横方向に測定した。
【００３７】
３．実験結果
３．１  熱拡散実験
図８に時間に対する温度変化特性を示し、これによれば各試料の放電直下におけるの温度Ｔoは、時間が経過するに伴って低下した。この時温度変化は複合材の方が銅に比べ傾きが大きいことが分かる。これは複合材の方が銅に比べて熱を拡散する能力に優れているためと考えられる。また、図９に示すように複合材の直径が違う場合でも同様の結果が得られた。
【００３８】
３．２  熱伝導実験
図１０に時間に対する温度変化特性を示す。図１０に示すように各試料の温度Ｔoから１０ｍｍ離れた位置の温度Ｔ１は、放電直後複合材の方が銅に比べて高くなりその後低下している。複合材の熱伝導性が銅よりも大きいため金属内部で温度が伝導し、周辺の温度が高くなったと考えられる。また図１１に示すように複合材の直径が違う場合でも同様の結果が得られた。
このことは図１２に示すサーモグラフィーカメラの熱画像からも確認できる。図１２は放電してから熱が冷めていく５秒間を１秒毎に時系列に並べたもので、直径１００ｍｍの銅と複合材を比較した図であり、それぞれの温度ＴoとＴ１を右上に記し、直径を分かりやすくするために試料の外径に線を引いた。
【００３９】
３．３  複合材自体の直径の大小による比較実験
図１３，図１４は複合材の直径を変化させたときの温度変化特性である。図１３に示すように放電直下では温度にそれほど大きな差は現れなかった。一方、図１４すように５ｍｍ離れた点では直径が大きい方が周辺の温度の上昇が小さく、温度が下がりやすいことが分かった。試料が小さい場合は試料内部に熱がこもり、飽和したことが原因と考えられる。このことは図１５に示すサーモグラフィーカメラの熱画像からも確認できる。図１５は放電してから熱が冷めていく５秒間を１秒毎に時系列に並べたもので、複合材の直径１０ｍｍと１００ｍｍを比較した図である。それぞれの温度ＴoとＴ'を右上に記しており、直径を分かりやすくするために試料の外径に線を引いた。
【００４０】
４．考察
４．１  試料の発熱
以上の結果から、放電した瞬間放電直下で雷電流によってレセプターは発熱するが、複合材や銅などのレセプターの材質の違いによる発熱効果は小さく、同じ放電電圧，放電時間，放電電流であるため、銅と複合材の違いによる発熱の差は誤差程度と考えられる。銅や複合材のどちらの場合でもレセプターはＧＮＤにつながる導電路の一部であり、レセプターよりも導電路の影響が大きい。また落雷による放電に伴い熱が飽和しない限りレセプターが溶けることはないため、熱の拡散性や伝導性の高いものがレセプターとして適していると考えられる。
【００４１】
４．２  試料の放熱
直径１００ｍｍの試料では熱の広がりは飽和状態にないと考えられるため、温度Ｔoの累乗近似を行った結果を図１６に示す。この図より各試料の累乗近似式から、放電して温度上昇してから室温状態である２０℃まで下がるために要する時間を求めた。銅は９．９ｓかかるのに対して複合材は７．５ｓとなった。これより気温にまで下がるために要する時間は複合材の方が銅に比べて早いということが分かった。
【００４２】
５．まとめ
温度Ｔoの温度低下は複合材の方が銅に比べて大きいことから複合材の方が熱拡散能力に優れていると分かった。また放電した位置より離れた点では放電直後の温度が複合材の方が銅に比べて大きいことも分かった。これより複合材の方が熱伝導能力に優れていると考えられ、複合材の方が銅よりも温度が下がるために要する時間が早いといえる。
また複合材の直径の大きさの違いを比較した場合、直径が大きい方が周辺の温度の上昇が小さく直径が小さい方が周辺の温度の上昇が大きくなることが分かった。試料が小さいと試料内部に熱がこもり飽和したことが原因と考えられる。したがって複合材の直径は大きい方が温度が下がりやすいといえる。
これらの結果から複合材の方が銅に比べて落雷時の温度上昇を低減させることができ、温度特性の観点からはレセプターとして用いるのに適していると考えられる。またその際のレセプターには、放電した際に熱の広がりを充分に吸収できるよう表面積を広くすることが望ましい。
【００４３】
＜実験例２＞
１．シミュレーション方法
このシミュレーションでは、熱伝導方程式の数値解析により、このレセプターに銅の１．５倍の熱伝導率を持つ複合材（以下図面中では「ＳＴＣ」の符号で表わす）を使用した場合の有効性について検討した。数値解析には二次元場の有限要素法を用い、結果を時刻毎の温度分布で表した。
２．熱伝導方程式と有限要素法解析
二次元場の熱伝導方程式は、絶対温度関数ｕを用いて次式で表せる。
【００４４】
【数１】
0006467683.tif 000002
【００４５】
ここで、ｋ、ｃおよびρは、それぞれ熱伝導率(Ｗ/ｍＫ)、比熱(Ｊ/ｋｇ)および比重(ｋｇ/ｍ3)である。有限要素法は、解析領域を三角形の微小領域に分割して、境界条件の下に要素内の温度を要素の頂点（節点）の温度を用いて内挿し、時間微分項は時間差分を用いる。各節点で（１）式を適用し左辺と右辺の差を残差とし、残差の総和が領域全体で零になる様にすると、各節点の温度関数に関する多元連立方程式が立てられ、これをガウスの消去法で解くと、各節点の温度が求められる。材料定数のｋ、ｃおよびρは要素毎に与えることができる。
【００４６】
３．解析モデルと解析結果
図１７にレセプターの解析モデルを示す。直径１００ｍｍのレセプターに幅１０ｍｍの強化プラスチック(ＦＲＰ)をつけている。解析は、対称性から右半分の領域で行った。ＦＲＰの熱伝導はレセプターに比べて小さいので外周は外気温度１０℃一定と仮定し、レセプターの一部に１０００℃（一定）を与えた。
図１８，図１９に、レセプターが銅と複合材の場合について、レセプターの一部を外気温１０℃から１０００℃を与えたときの各時刻の温度分布を示す。また解析に用いた材料定数は表１の通りである。
【００４７】
【表１】
0006467683.tif 000003
【００４８】
４．むすび
レセプターの熱伝導解析を行った結果、熱伝導率の大きい複合材の方が銅よりも早く温度上昇することが確かめられた。
【符号の説明】
【００４９】
６    ブレード
７    レセプター（プレート，受雷部）
８    芯材
９    ボルト（受雷部）
１１  引き下げ導線（ダウンコンダクタ）
１２  周縁部
【図１】
0006467683.tif 000004
【図２】
0006467683.tif 000005
【図３】
0006467683.tif 000006
【図４】
0006467683.tif 000007
【図５】
0006467683.tif 000008
【図６】
0006467683.tif 000009
【図７】
0006467683.tif 000010
【図８】
0006467683.tif 000011
【図９】
0006467683.tif 000012
【図１０】
0006467683.tif 000013
【図１１】
0006467683.tif 000014
【図１２】
0006467683.tif 000015
【図１３】
0006467683.tif 000016
【図１４】
0006467683.tif 000017
【図１５】
0006467683.tif 000018
【図１６】
0006467683.tif 000019
【図１７】
0006467683.tif 000020
【図１８】
0006467683.tif 000021
【図１９】
0006467683.tif 000022